(57)【要約】      （修正有）【課題】非接触型ＩＣカードの収納・装着が容易かつ携帯用・使用時の利便性を向上させ、非接触型ＩＣカード本来固有の情報の送受信を確実に行わせる機能性を高め、かつ使用者が所有して楽しさを味わえるデザイン性に優れた非接触型ＩＣカードのホルダーを提供する。【解決手段】略長方形の一枚の柔素材を基材とし、その中央部に接触型ＩＣカードを装着・保持するためのカード収納部を有し、その中間部位には非接触型ＩＣカードを挿入するための相対向するスリット部を形成し、該基材の長さ方向において略三等分位置に折り畳み部位を設け、一方の側端部の先端部を幅狭とする舌状形状にした雄部を形成し、他方の側端部の端部近傍には前記舌状形状を差し込み可能な細長の貫通孔を設けた雌部を設け、両側端部には両側端部を一時的に固定するための雌雄のホックを取り付けた構造。【選択図】図２
2011090453.tif 000002
【特許請求の範囲】
【請求項１】
略長方形の一枚の柔素材を基材とし、その中央部に接触型ＩＣカードを装着・収納するためのカード収納部を有し、その中間部位には非接触型ＩＣカードを挿入・収納するための相対向するスリット部を形成し、該基材の長さ方向において略三等分位置に折り畳み部位を設け、該折り畳み部位の両外側部分を同方向に折り畳み自在とし、一方の側端部の先端部を幅狭とする舌状形状にした雄部を形成して略中央部に雄のホックを固着し、他方の側端部の端部近傍には前記舌状形状の雄部を差し込み可能な細長の貫通孔を設けた雌部を設けて該貫通孔の端部側に雌のホックを取り付けたことを特徴とする非接触型ＩＣカードホルダー。
【請求項２】
柔素材の基材の表面部位にデザインされた文字、絵画等による装飾を施したことを特徴とする請求項一に記載の非接触型ＩＣカードホルダー。
【請求項３】
柔素材に適宜な着色剤、塗料等で化粧されたことを特徴とする請求項１又は請求項２に記載の非接触型ＩＣカードホルダー。
【発明の詳細な説明】
【技術分野】
【０００１】
本件発明は、電子マネー決済に代表される非接触型ＩＣカードの収納・装着、持ち運び、情報の送受信等を確実に行うことができ、かつデザイン的にシンプルな構造の非接触型ＩＣカードホルダーに関するものである。
【背景技術】
【０００２】
近年、非接触型ＩＣカードは定期乗車券を主流に、手軽なお買い物の決済用などとして、各業種、各方面で多用に使用されるようになってきた。
通常、定期乗車券であれば名刺入れに、お買い物用の決済用としては財布に収納されていることが多く見受けられるが、名刺入れの場合表裏を間違って使用すると乗降車時の情報送受信にミスが生じること、お買い物の決済用としては財布の収納部からその都度出し入れの動作が必要など不確実さと不便さが生じているのが現状である。
【０００３】
そこで先願等のアイデアを見ると、定期券収納部が設けられた本体部の表面と折り返しのケースカバー部に反射シートを設けるパスケースが提案されている。（特許文献１）
また、非接触型ＩＣカードを収納するパスケースの平面上に券回されたアンテナコイルと外アンテナコイルの端部間に接続される発光素子を設けるパスケースが提案されている。（特許文献２）
また、非接触型ＩＣカード式乗車券と磁気カード式乗車券やカード大の切符とを合わせて収納するパスケースが提案されている。（特許文献３）
また、非接触型ＩＣカードをバッグの底部等に取り付けて使用するパスケースの提案も見られる。（特許文献４）
その他、バッグなどへの装着容易なパスケースは多数のアイデア提案が見られる。
【０００４】
しかしながら、前記の各種提案は学童向けの安全性を高めるための一手段又は構造・機能であり、単なるＩＣカードの情報の送受信を表示する嗜好性を高めるデザインであり、多数の乗車券を重ねて収納するための名刺入れに代替する構造であり、バッグの底部に取り付けるための特有の構造であったりするものに過ぎず、非接触型のＩＣカード使用者が非接触型ＩＣカードを容易に収納でき、かつ使用時には利便性が高くかつ情報の送受信を確実に行わせる機能に十分とは言い切れない一面を有している。
【先行技術文献】
【特許文献】
【０００５】
【特許文献１】実用新案登録第３１３０９０６号  公開公報
【特許文献２】実用新案登録第３１３２１２８号  公開公報
【特許文献３】特許第４３２４１８０号  公開公報
【特許文献４】特開２００９−４３１３７号  公開公報
【発明の概要】
【発明が解決しようとする課題】
【０００６】
前記の問題点に鑑み、本件発明者は、非接触型ＩＣカードの収納・装着が容易かつ携帯用・使用時の利便性を向上させ、非接触型ＩＣカード本来固有の情報の送受信を確実に行わせる機能性を高め、かつ使用者が所有して楽しさを味わえるデザイン性に優れた非接触型ＩＣカード類のホルダーを提案するものである。
【課題を解決するための手段】
【０００７】
本件の発明は、略長方形の一枚の柔素材を基材とし、その中央部に接触型ＩＣカードを装着・収納するためのカード収納部を有し、その中間部位には非接触型ＩＣカードを挿入・収納するための相対向するスリット部を形成し、該基材の長さ方向において略三等分位置に折り畳み部位を設け、該折り畳み部位の両外側部分を同方向に折り畳み、一方の側端部の先端部を幅狭とする舌状形状にした雄部を形成して略中央部に雌のホックを固着し、他方の側端部の端部近傍には前記舌状形状を差し込み可能な細長の貫通孔を設けた雌部を設けて該貫通孔の端部側に雄のホックを取り付けたことを特徴とする非接触型ＩＣカードのホルダーを提供するものである。
【発明の効果】
【０００８】
非接触型ＩＣカードのホルダーにおいて、該非接触型ＩＣカードの装脱着が容易、かつ軽量で構造・取り扱いが簡単、情報の送受信が確実なうえ、デザイン的にも老若男女を問わず所有することが楽しい雰囲気を醸し出すことができる非接触式ＩＣカードホルダーを提案できる。
【図面の簡単な説明】
【０００９】
【図１】本件発明の非接触型ＩＣカードホルダーの展開図（外面側）
【図２】本件発明の非接触型ＩＣカードホルダーに非接触型ＩＣカードを装着した状態の平面図（内面側）
【図３】本件発明の非接触型ＩＣカードホルダーに非接触型ＩＣカードを装着した状態の平面図（外面側）
【図４】本件発明の非接触型ＩＣカードホルダーに非接触型ＩＣカード装着した後にホックを用いて閉止した状態の表面図
【図５】本件発明の非接触型ＩＣカードホルダーに非接触型ＩＣカード装着した後にホックを用いて閉止した状態の裏面図
【図６】本件発明の非接触型ＩＣカードホルダーに非接触型ＩＣカード装着し、情報の送受信を行う動作時の斜視図
【発明を実施するための形態】
【００１０】
請求項１について図１〜図６を用いて説明する。
図１は、本件発明の非接触型ＩＣカードホルダー１の展開した平面図であり、皮などを用いて略長方形の一枚の柔素材を基材とし、その中央部に接触型ＩＣカードＣを装着・収納するためのカード装着・収納部２を有し、該カード装着・収納部の略中央部には非接触型ＩＣカードＣを挿入・収納するための適宜な間隔を有する相対向するスリット部５を２本形成し、該基材の長さ方向において略三等分位置に折り畳み部位９を設け、該折り畳み部位９の両外側部分を同方向に折り畳み自在とし、一方の側端部の先端部を幅狭とする舌状形状にした雄部３を形成して略中央部に雄のホック８を固着し、他方の側端部の端部近傍には前記舌状形状の雄部３を差し込み可能な細長の貫通孔６を設けた雌部４を形成して該貫通孔の端部側に雌のホック７を固着したことを特徴とする非接触型ＩＣカードホルダー１を構成することができる。
【００１１】
非接触型ＩＣカードホルダー１のカード装着・収納部２の略中央部に設ける相対向するスリット部５の両端部には小口径孔１０を設けて、非接触型ＩＣカードＣの装脱着時の応力による柔素材の亀裂破損を防止する構造を付加するものとする。
なお、本件発明の目的が達成できる範囲で小口径孔の形状は特に特定するものでなく、本件発明においては全ての形状を包摂するものとする。
【００１２】
非接触型ＩＣカードホルダー１のカード装着・収納部２の略中央部に設ける相対向するスリット部５の中心部は図示するように外側に湾曲するように形成することが好ましい形成方法である。
但し、本件発明においては図示以外のスリット形状も可能とし、非接触型ＩＣカードＣの装脱着が容易で、かつ安定的に保持できる形状であれば本件発明に包摂するものとする。
【００１３】
本件発明で用いる基材の柔素材は天然の獣皮が最も好ましい素材であるが、織布のほか樹脂製でも製作することは可能であり、また、一枚の素材のほか同種又は異種の素材を重ね合わせて構成しても良く、本件発明では柔軟性を有しかつ可撓性素材あれば、如何なる素材も本件発明においては包摂するものとする。
【００１４】
図２〜図３は、本件発明の非接触型ＩＣカードホルダー１に非接触型ＩＣカードＣを装着・収納した状態の展開した平面図であり、図２は内面側、図３は外面側を表しており、非接触型ＩＣカードＣの中央部が外側面になるように装着・収納されることが好ましい形態であり、該中央部が内側面になるように装着・収納されても機能上は支障を来さないが、非接触型ＩＣカードＣの両端が外面側位置に装着・収納された場合、本件発明の非接触型ＩＣカードホルダー１をポケットなどに収納する際に非接触型ＩＣカードＣの両端がポケット端部等に引っかかることが想定され好ましいことではない。
【００１５】
図４は、本件発明の非接触型ＩＣカードホルダー１に非接触型ＩＣカードＣを装着・収納した状態において、一方の舌状形状である雄部３と他方の側端部の雌部４を同方向に折り畳み、雄部３を雌部４に設けられた細長の貫通孔６に挿入・貫通させ、雄部３の雄のホック８と雌部４の雌のホック７を嵌合させて一時的に固定し、通常保持・保管・使用する状態の表面図であり、図５はその裏面図である。
【００１６】
図６は、本件発明の非接触型ＩＣカードホルダー１に非接触型ＩＣカードＣを装着・収納した状態において、交通機関等の改札装置通過時等における情報の送受信を行う動作時の斜視図であり、フラップ11を親指と他に指で挟持して、相手方装置の送受信部に略密着した状態で使用する場合の方法を示した者であり、本件発明の非接触型ＩＣカードホルダー１を用いることにより非接触型ＩＣカードＣの固有情報の送受信を全く無理なくかつ高い信頼性において操作をさせ得ることができる。
【００１７】
請求項２について説明する。
本件発明における非接触型ＩＣカードホルダー１は、その素材が柔素材であることに鑑み、該非接触型ＩＣカードホルダー１の表層部に文字や絵画による装飾を行うことを特徴としている。該装飾を施用することにより多種・多用なデザインを有する非接触型ＩＣカードホルダー１を創出することが可能となる。
なお、表層部に行う装飾のために表現する図柄等は絵、文字等に限定されず、その方法についても転写、刻印、印字にも限定されず、本件発明の目的を達成するための如何なる図柄、方法をも包摂するものとする。
【００１８】
請求項３について説明する。
本件発明における非接触型ＩＣカードホルダー１はその素材が柔素材であることに鑑み、各種の色調を表現するため着色剤や塗料等による自由な色彩表現を行うことを特徴とする。
該色彩表現を施用することによりより一層の多種・多用なデザインを有する非接触型ＩＣカードホルダー１を創出することが可能であり、その色調に関しても如何なる色調・色彩やその方法についても本件発明においては全てを包摂するものとする。
【符号の説明】
【００１９】
１  非接触型ＩＣカードホルダー
２  カード装着・収納部
３  雄部
４  雌部
５  スリット部
６  細長の貫通孔
７  雌のホック
８  雄のホック
９  折り畳み部位
１０  小口径孔
１１  フラップ
Ｃ  非接触型ＩＣカード
【図１】
2011090453.tif 000003
【図２】
2011090453.tif 000004
【図３】
2011090453.tif 000005
【図４】
2011090453.tif 000006
【図５】
2011090453.tif 000007
【図６】
2011090453.tif 000008